(57)【要約】      （修正有）【課題】電池蓋のカプラーカバーの小型化を図ることで、電池蓋の蓋本体の表面におけるシリアルナンバーなどの表示領域を広くする。【解決手段】電池蓋２０は、電源プラグが挿通可能な孔２００が形成された蓋本体２０ａと、回転軸１１を介して回転可能に支持され、閉状態で凹部２０２に収納されて孔２０２を覆い、開状態で孔２００を露出させると共に、凹部２０２の縁に乗り上げて弾性変形するカプラーカバー１０と、蓋本体２０ａに固定される固定部材２２とを備える。回転軸１１は、凹部２０２の長孔２０１に回転可能に且つ長孔２０１に沿って移動可能に支持される小径軸１０１と、固定部材２２の規制部２２０に当接する大径軸１０２とを有する。長孔２０１は、孔２００の径方向に延び、大径軸１０２は、長孔２０１と孔２００との間で規制部２２０に当接して、カプラーカバー１０の閉状態で、小径軸１０１に対して孔２００に近づく方向に偏心配置される。【選択図】図９
2013228479.tif 000002
【特許請求の範囲】
【請求項１】
機器本体の電池の収納室に装填されるカプラーのジャックに対応する位置に電源プラグの挿通孔が形成された凹部を有し、前記収納室を開閉可能に覆う蓋本体と、
前記凹部を開閉する方向に前記凹部に対して回転軸を介して回転可能に支持され、前記凹部を閉じた状態で前記凹部に収納されて前記挿通孔を覆い、前記凹部を開いた状態で前記挿通孔を露出させるとともに、前記凹部の縁に乗り上げて弾性変形するカプラーカバーと、
前記蓋本体に固定される固定部材と、を備え、
前記回転軸は、前記凹部に形成された長孔に回転可能に、かつ前記長孔の長手方向に沿ってスライド移動可能に支持される小径軸部と、前記小径軸部の先端部に前記小径軸部に対して偏心して設けられ、外周部が前記固定部材に設けられた規制部に当接する大径軸部と、を有し、
前記長孔は、前記挿通孔の径方向に沿って形成され、前記大径軸部は、前記長孔と前記挿通孔との間で前記規制部に外周部が当接して、前記カプラーカバーが前記凹部を閉じた状態で、前記小径軸部に対して前記挿通孔に近づく方向に偏心して配置されることを特徴とする電池蓋。
【請求項２】
前記カプラーカバーは、前記回転軸の側の端部が円弧形状をなし、前記円弧形状の円弧中心は、前記大径軸部の前記小径軸部に対する偏心量の２倍の寸法だけ前記小径軸部の中心より前記挿通孔の側に配置されることを特徴とする請求項１に記載の電池蓋。
【請求項３】
前記蓋本体は、前記機器本体の底面に設けられることを特徴とする請求項１又は２に記載の電池蓋。
【請求項４】
前記小径軸部は、前記カプラーカバーが前記凹部を閉じた状態での前記長孔の幅方向の径寸法が前記長孔の幅寸法より大きいことを特徴とする請求項１乃至３のいずれか一項に記載の電池蓋。
【請求項５】
機器本体に電池蓋を備える電子機器であって、
前記電池蓋として、請求項１乃至４のいずれか一項に記載の電池蓋を備えることを特徴とする電子機器。
【発明の詳細な説明】
【技術分野】
【０００１】
本発明は、例えばデジタルカメラやデジタルビデオカメラ等の電子機器に設けられる電池蓋、及び電池蓋を備える電子機器に関する。
【背景技術】
【０００２】
デジタルカメラ等の電子機器では、電池パックと略同形状のＤＣカプラーを介して電源プラグを機器本体と接続することで、別途外部電力供給用のコネクタを機器本体に設けることなく外部電力の供給を可能としたものがある（特許文献１）。
【０００３】
図１０（ａ）は従来のデジタルカメラを正面側から見た斜視図、図１０（ｂ）は図１０（ａ）に示すデジタルカメラを底面側から見た斜視図、図１１は図１０（ａ）に示すデジタルカメラの電池蓋を開いた状態を底面側から見た斜視図である。
【０００４】
図１０に示すように、デジタルカメラのカメラ本体１Ａの底面には、電池パック６（図１１）の収納室を開閉可能に覆う電池蓋１が設けられている。電池蓋１は、カメラ本体１Ａに対して開閉方向に回動可能に支持される蓋本体１ａと、蓋本体１ａに形成された電源プラグ３の挿通孔１２を開閉可能に覆うカプラーカバー２とを有する。
【０００５】
そして、カメラ本体１Ａの電池パック６の収納室に電池パック６と略同形状のＤＣカプラー４（図１１）を装填し、図１０（ｂ）に示すように、カプラーカバー２を開いた状態で電源プラグ３を挿通孔１２を介してＤＣカプラー４のジャック４ａに接続する。これにより、別途に外部電力供給用のコネクタをカメラ本体１Ａに設けることなく、かつ、ケーブル一体型のＤＣカプラーのようにケーブル引き出し位置の制約を受けることなく外部電力の供給を可能としている。
【０００６】
図１２は電池蓋１の分解斜視図、図１３はカプラーカバー２を開いた状態を示す斜視図である。図１２に示すように、電池蓋１の蓋本体１ａには、カプラーカバー２を収納する凹部１３が設けられている。凹部１３には、上述した電源プラグ３の挿通孔１２、及びカプラーカバー２の回転軸１５を回転可能に支持する支持孔１４が形成されている。そして、図１３に示すように、カプラーカバー２を開方向に回転させることで、凹部１３に形成された電源プラグ３の挿通孔１２が露出する。このとき、カプラーカバー２の一部は、凹部１３の縁に乗り上げるように弾性変形する。
【先行技術文献】
【特許文献】
【０００７】
【特許文献１】特開２００１−３１３８５４号公報
【発明の概要】
【発明が解決しようとする課題】
【０００８】
ところで、デジタルカメラのカメラ本体１Ａには、固体番号識別用のシリアルナンバーなどの表示が必要となっているが、デザイン上、シリアルナンバーなどは、一般的に、カメラ本体１Ａの底面に設けた電池蓋１に表示されることが多い。また、上記従来技術のように、カプラーカバー２を設けた電池蓋１では、視認性の観点から、蓋本体１ａの表面にシリアルナンバーなどが表示される。一方、近年のデジタルカメラの小型化に伴い、電池蓋１が小さくなると、蓋本体１ａのシリアルナンバーなどの表示領域も小さくなる。このため、シリアルナンバーなど視認性の低下を回避するためには、カプラーカバー２を小型化して、蓋本体１ａの表面の表示領域をできるだけ広くすることがデジタルカメラの小型化を図る上で重要になる。
【０００９】
しかし、上記従来技術では、カプラーカバー２の小型化が難しいという問題がある。
【００１０】
すなわち、上記従来技術では、カプラーカバー２が開状態で凹部１３の縁に乗り上げて弾性変形することにより生じる反力によって、カプラーカバー２の回転軸１５と凹部１３の支持孔１４との係合部に引き剥がし力が発生する。この引き剥がし力によりカプラーカバー２が蓋本体１ａから外れやすくなるのを防止するため、支持孔１４をカプラーカバー２が開状態で乗り上げる凹部１３の縁から十分離した位置に配置する必要があり、カプラーカバー２の大型化を招くことになる。
【００１１】
また、図１４（ｂ）に示すように、カプラーカバー２の開状態でカプラーカバー２が電源プラグ３の挿通孔１２を覆わないように、挿通孔１２と支持孔１４との距離を十分離す必要がある。そのため、カプラーカバー２は、図１４（ａ）に示すように、挿通孔１２の径Ａの２倍以上の長さが必要となり、カプラーカバー２の大型化を招くことになる。
【００１２】
そこで、本発明は、電池蓋にカプラーカバーを備える電子機器において、カプラーカバーの小型化を図る仕組みを提供することを目的とする。
【課題を解決するための手段】
【００１３】
上記目的を達成するために、本発明の電池蓋は、機器本体の電池の収納室に装填されるカプラーのジャックに対応する位置に電源プラグの挿通孔が形成された凹部を有し、前記収納室を開閉可能に覆う蓋本体と、前記凹部を開閉する方向に前記凹部に対して回転軸を介して回転可能に支持され、前記凹部を閉じた状態で前記凹部に収納されて前記挿通孔を覆い、前記凹部を開いた状態で前記挿通孔を露出させるとともに、前記凹部の縁に乗り上げて弾性変形するカプラーカバーと、前記蓋本体に固定される固定部材と、を備え、前記回転軸は、前記凹部に形成された長孔に回転可能に、かつ前記長孔の長手方向に沿ってスライド移動可能に支持される小径軸部と、前記小径軸部の先端部に前記小径軸部に対して偏心して設けられ、外周部が前記固定部材に設けられた規制部に当接する大径軸部と、を有し、前記長孔は、前記挿通孔の径方向に沿って形成され、前記大径軸部は、前記長孔と前記挿通孔との間で前記規制部に外周部が当接して、前記カプラーカバーが前記凹部を閉じた状態で、前記小径軸部に対して前記挿通孔に近づく方向に偏心して配置されることを特徴とする。
【発明の効果】
【００１４】
本発明によれば、電池蓋にカプラーカバーを備える電子機器において、カプラーカバーの小型化を図ることができる。
【図面の簡単な説明】
【００１５】
【図１】（ａ）は本発明の電子機器の実施形態の一例であるデジタルカメラの斜視図、（ｂ）は（ａ）に示すデジタルカメラの電池蓋に設けられるカプラーカバーを開いた状態を底面側から見た斜視図である。
【図２】図１（ａ）に示すデジタルカメラの電池蓋を開いた状態を底面側から見た斜視図である。
【図３】電池蓋の分解斜視図である。
【図４】図３を上方から見た分解斜視図である。
【図５】（ａ）はカプラーカバーの側面図、（ｂ）はカプラーカバーを裏面側から見た図、（ｃ）は（ａ）のＡ−Ａ線断面図である。
【図６】（ａ）は蓋本体に対してカプラーカバーが閉じている状態を示す斜視図、（ｂ）は蓋本体に対してカプラーカバーが開いている状態を示す斜視図である。
【図７】（ａ）は蓋本体に対してカプラーカバーが閉じている状態の平面図、（ｂ）は（ａ）の状態での固定部材の曲げ部と回転軸の大径軸部との関係を示す図である。
【図８】（ａ）は蓋本体に対してカプラーカバーが閉状態から略９０°回転動作した状態の平面図、（ｂ）は（ａ）の状態での固定部材の曲げ部と回転軸の大径軸部との関係を示す図である。
【図９】（ａ）は蓋本体に対してカプラーカバーが閉状態から略１８０°回転動作した状態（開状態）の平面図、（ｂ）は（ａ）の状態での固定部材の曲げ部と回転軸の大径軸部との関係を示す図である。
【図１０】（ａ）は従来のデジタルカメラを正面側から見た斜視図、（ｂ）は（ａ）に示すデジタルカメラを底面側から見た斜視図である。
【図１１】図１０（ａ）に示すデジタルカメラの電池蓋を開いた状態を底面側から見た斜視図である。
【図１２】図１０（ａ）に示すデジタルカメラの電池蓋の分解斜視図である。
【図１３】図１２に示す電池蓋のカプラーカバーを開いた状態を示す斜視図である。
【図１４】（ａ）は図１２に示す電池蓋のカプラーカバーを閉じた状態を示す平面図、（ｂ）は図１２に示す電池蓋のカプラーカバーを開いた状態を示す平面図である。
【発明を実施するための形態】
【００１６】
以下、本発明の実施形態の一例を図面を参照して説明する。
【００１７】
図１（ａ）は本発明の電子機器の実施形態の一例であるデジタルカメラの斜視図、図１（ｂ）は図１（ａ）に示すデジタルカメラの電池蓋に設けられるカプラーカバーを開いた状態を底面側から見た斜視図である。図２は、図１（ａ）に示すデジタルカメラの電池蓋を開いた状態を底面側から見た斜視図である。
【００１８】
本実施形態のデジタルカメラは、図１に示すように、カメラ本体１０Ａの底面に、電池パック５０（図２参照）の収納室を開閉可能に覆う電池蓋２０が設けられている。電池蓋２０は、カメラ本体１０Ａに対して開閉方向に回動可能に支持される蓋本体２０ａと、蓋本体２０ａに形成された電源プラグ４０の挿通孔２００を開閉可能に覆うカプラーカバー１０とを有する。カプラーカバー１０は、柔軟なエラストマー等の弾性材で形成されている。ここで、カメラ本体１０Ａは、本発明の機器本体の一例に相当する。
【００１９】
そして、カメラ本体１０Ａの電池パック５０の収納室に電池パック５０と略同形状のＤＣカプラー３０を装填し、電池蓋２０のカプラーカバー１０を開いた状態で電源プラグ４０を挿通孔２００を介してＤＣカプラー３０のジャック３０１に接続する。これにより、別途に外部電力供給用のコネクタをカメラ本体１０Ａに設けることなく、かつ、ケーブル一体型のＤＣカプラーのようにケーブル引き出し位置の制約を受けることなく外部電力の供給を可能としている。
【００２０】
図３は電池蓋２０の分解斜視図、図４は図３を上方から見た分解斜視図である。図３及び図４に示すように、電池蓋２０は、蓋本体２０ａ、軸２３、固定部材２２、ヒンジ部２１、及びカプラーカバー１０を備える。
【００２１】
図４に示すように、蓋本体２０ａの表面には、後述する電池蓋２０のスライド方向（図１（ａ）の矢印方向）に長い長円状の凹部２０２が形成され、凹部２０２には、上述した電源プラグ４０の挿通孔２００が形成されている。カプラーカバー１０は、凹部２０２の長円状より短い長円状に形成されており、閉状態で凹部２０２に収納されて挿通孔２００を覆い、開状態で挿通孔２００を露出させる。カプラーカバー１０が凹部２０２に収納された状態では、カプラーカバー１０の表面と蓋本体２０ａの表面とは、略面一とされる。また、カプラーカバー１０の軸２３と反対方向の端部の円弧形状と凹部２０２の円弧形状との間には、後述する指掛け部１０６に指を掛ける際のすき間が形成される。
【００２２】
軸２３は、カメラ本体１０Ａに固定される。そして、軸２３にヒンジ部２１の穴２１１を挿入し、固定部材２２を蓋本体２０ａとの間にヒンジ部２１を挟み込んだ状態で蓋本体２０ａにビス２４で締結することで、カメラ本体１０Ａに対して電池蓋２０が軸２３を中心にして開閉方向に回動可能に支持される。
【００２３】
このとき、蓋本体２０ａは、ヒンジ部２１に対して図１（ａ）の矢印方向にスライド移動が可能となっている。また、蓋本体２０ａの裏面側には、カメラ本体１０Ａと係合する爪２０８，２０９が設けられており、電池蓋２０の閉状態で爪２０８，２０９がカメラ本体１０Ａに係合している。
【００２４】
蓋本体２０ａの爪２０８，２０９がカメラ本体１０Ａに係合している状態で蓋本体２０ａをヒンジ部２１に対して図１（ａ）の矢印方向にスライド移動させると、カメラ本体１０Ａに対する爪２０８，２０９が解除される。その後、電池蓋２０を軸２３を中心として回動操作することで、図２に示すように、電池蓋２０が開状態となる。なお、電池蓋２０の閉動作は前述の開動作と逆動作であるため、説明を省略する。
【００２５】
図５（ａ）はカプラーカバー１０の側面図、図５（ｂ）はカプラーカバー１０を裏面側から見た図、図５（ｃ）は図５（ａ）のＡ−Ａ線断面図である。
【００２６】
図５（ａ）及び図５（ｂ）に示すように、カプラーカバー１０の裏面には、蓋本体２０ａの挿通孔２００に対応する円形リブ１０３、及び回転軸１１がカプラーカバー１０の長手方向に互いに離間して設けられている。
【００２７】
円形リブ１０３の周方向の一部には、掛止爪１０４が設けられている。カプラーカバー１０は、閉状態において、円形リブ１０３が蓋本体２０ａの挿通孔２００に嵌合されることで、挿通孔２００を覆った状態で位置決めされるとともに、掛止爪１０４が挿通孔２００の縁部に掛止されて、閉状態が保持される。
【００２８】
また、カプラーカバー１０の長手方向の円形リブ１０３側の端部には、指掛け部１０６が設けられており、指掛け部１０６に指を掛けてカプラーカバー１０を上方へ起こすことにより、掛止爪１０４の挿通孔２００の縁部に対する掛止が解除される。
【００２９】
回転軸１１は、カプラーカバー１０の裏面から突出する小径軸部１０１と、小径軸部１０１の先端部に設けられる大径軸部１０２とを有する。そして、大径軸部１０２を蓋本体２０ａの挿通孔２００に貫通させた後、小径軸部１０１を挿通孔２００の内周面から電池蓋２０の図１（ａ）に矢印方向と逆方向に挿通孔２００の径方向に沿って延びる長孔２０１に挿入する。
【００３０】
一方、固定部材２２には、挿通孔２００と長孔２０１との間に対応する位置に曲げ部２２０が設けられている。上述したように、固定部材２２を蓋本体２０ａにビス２４で取り付けた状態では、大径軸部１０２の外周部が曲げ部２２０に当接して、カプラーカバー１０の抜け止めがなされる。この状態では、カプラーカバー１０は、蓋本体２０ａに対して回転可能、かつ長孔２０１に沿ってスライド移動可能に支持される。ここで、曲げ部２２０は、本発明の規制部の一例に相当する。
【００３１】
また、カプラーカバー１０の円形リブ１０３と回転軸１１との間には、カプラーカバー１０の幅方向に沿って溝部１０５が設けられており、これにより、カプラーカバー１０の弾性変形を容易にしている。
【００３２】
ここで、図５（ｃ）に示すように、回転軸１１の大径軸部１０２の中心は、小径軸部１０１の中心より円形リブ１０３側に偏心して配置され、大径軸部１０２は、径方向寸法が軸方向寸法より長くなっている。また、小径軸部１０１の中心、及び大径軸部１０２の中心は、カプラーカバー１０の長手方向の回転軸１１側の端部の円弧形状の円弧中心より当該端部側に配置されている。
【００３３】
小径軸部１０１の外周部には、軸方向に沿って延びる一対のリブ１０１０が径方向に互いに対向して設けられている。蓋本体２０ａに対してカプラーカバー１０が閉じている状態では、リブ１０１０が長孔２０１に係合して位置決めされ、カプラーカバー１０のがたつきや浮き等が防止される。蓋本体２０ａに対してカプラーカバー１０が開方向に回転動作する際には、リブ１０１０と長孔２０１との係合が解除され、カプラーカバー１０の回転動作、及び長孔２０１に沿ったスライド移動がスムースに行われる。なお、リブ１０１０に代えて、小径軸部１０１の断面形状を楕円形状等にしてもよい。すなわち、小径軸部１０１は、カプラーカバー１０が凹部２０２を閉じた状態での長孔２０１の幅方向の径寸法が長孔２０１の幅寸法より大きければよい。
【００３４】
図６（ａ）は蓋本体２０ａに対してカプラーカバー１０が閉じている状態を示す斜視図であり、この状態では、カプラーカバー１０は、蓋本体２０ａの凹部２０２に収納されて挿通孔２００を覆っている。図６（ｂ）は蓋本体２０ａに対してカプラーカバー１０が開いている状態を示す斜視図であり、この状態では、カプラーカバー１０は、凹部２０２の長手方向の軸２３側の端部の縁に乗り上げて弾性変形している。また、カプラーカバー１０の開状態では、カプラーカバー１０が電源プラグ４０の挿通孔２００を覆わないようになっている。
【００３５】
次に、図７〜図９を参照して、蓋本体２０ａに対するカプラーカバー１０の開閉動作について説明する。
【００３６】
図７（ａ）は蓋本体２０ａに対してカプラーカバー１０が閉じている状態の平面図、図７（ｂ）は図７（ａ）の状態での固定部材２２の曲げ部２２０と回転軸１１の大径軸部１０２との関係を示す図である。図８（ａ）は蓋本体２０ａに対してカプラーカバー１０が閉状態から略９０°回転動作した状態の平面図、図８（ｂ）は図８（ａ）の状態での固定部材２２の曲げ部２２０と回転軸１１の大径軸部１０２との関係を示す図である。図９（ａ）は蓋本体２０ａに対してカプラーカバー１０が閉状態から略１８０°回転動作した状態（開状態）の平面図、図９（ｂ）は図９（ａ）の状態での固定部材２２の曲げ部２２０と回転軸１１の大径軸部１０２との関係を示す図である。なお、図７（ｂ）〜図９（ｂ）では、説明の便宜上、蓋本体２０ａの図示は省略している。
【００３７】
カプラーカバー１０は、図７に示す閉状態から図９に開状態までの回転動作において、蓋本体２０ａの凹部２０２の縁に乗り上げるよう弾性変形する。その際、カプラーカバー１０は、変形が出来るだけ小さくなるように、凹部２０２に沈みこむ方向（図８（ａ）及び図９（ａ）の破線矢印方向）に移動しようとする。
【００３８】
この破線矢印方向へ移動しようとする力によって、カプラーカバー１０は、大径軸部１０２の外周部が固定部材２２の曲げ部２２０に当接しながら小径軸部１０１を中心に回転動作する。このとき、上述したように、回転軸１１の大径軸部１０２の中心は、小径軸部１０１の中心より円形リブ１０３側に偏心して配置されている。このため、カプラーカバー１０の閉状態では、大径軸部１０２は、小径軸部１０１に対して蓋本体２０ａの挿通孔２００側に偏心配置される。
【００３９】
従って、図７〜図９に至るカプラーカバー１０の開方向への回転動作に従って、カプラーカバー１０は、破線矢印方向である挿通孔２００に近づく方向に長孔２０１に沿ってスライド移動する。一方、図９〜図７に至るカプラーカバー１０の閉方向への回転動作の場合は、カプラーカバー１０は、破線矢印方向の逆方向である挿通孔２００から遠ざかる方向に長孔２０１に沿ってスライド移動する。
【００４０】
ところで、カプラーカバー１０の回転軸１１と蓋本体２０ａとの係合部にかかる引き剥がし力は、カプラーカバー１０の開状態（図９）において、回動中心となる小径軸部１０１とカプラーカバー１０が乗り上げる凹部２０２の縁との距離に依存する。かかる距離が短いほど、凹部２０２の縁へのカプラーカバー１０の乗り上げ量が大きくなり、前記引き剥がし力が大きくなる。
【００４１】
本実施形態では、上述したように、図７〜図９に至るカプラーカバー１０の開方向への回転動作に従って、カプラーカバー１０は、挿通孔２００に近づく方向に長孔２０１に沿ってスライド移動する。このため、カプラーカバー１０の開状態においては、小径軸部１０１を凹部２０２の縁から遠ざけて前記引き剥がし力を抑制することができ、結果的にカプラーカバー１０の長手方向の寸法を図５（ｂ）のβ分短くすることができる。
【００４２】
すなわち、図５（ｂ）に示すように、挿通孔２００を２個並べた位置に相当する円１０８中心にカプラーカバー１０の回転中心となる小径軸部１０１を配置しているが、従来例（図１４（ａ））に比べて寸法β分だけカプラーカバー１０の長手方向の寸法が短い。
【００４３】
小径軸部１０１に対する大径軸部１０２の偏心量は、円形リブ１０３側をγ２、円形リブ１０３から離れる側をγ１とすると、（γ２−γ１）／２となり、開閉方向の回転動作に伴うカプラーカバー１０の長孔２０１に沿ったスライド移動量は、γ２−γ１となる。
【００４４】
本実施形態では、カプラーカバー１０の回転軸１１と蓋本体２０ａとの係合部にかかる引き剥がし力を従来例（図１４（ａ））と略同等とするため、開閉方向の回転動作に伴うカプラーカバー１０のスライド移動量γ２−γ１＝βとしている。つまり、カプラーカバー１０の回転軸１１側の端部の円弧形状の円弧中心は、大径軸部１０２の小径軸部１０１に対する偏心量の２倍の寸法だけ小径軸部１０１の中心より挿通孔２００側にシフトして配置される。
【００４５】
以上説明したように、本実施形態では、カプラーカバー１０の長手方向の寸法を短くしても、カプラーカバー１０が開状態で凹部２０２の縁に乗り上げて弾性変形した際に回転軸１１と蓋本体２０ａとの係合部に生じる引き剥がし力を抑制することができる。このため、前記引き剥がし力によりカプラーカバー１０が蓋本体２０ａから外れたり、回転軸１１が過度に変形したりするのを防止することができる。これにより、カプラーカバー１０を小型化して蓋本体２０ａの表面におけるシリアルナンバーなどの表示領域を広くしてシリアルナンバーなどの視認性の低下を回避することができ、デジタルカメラの小型化に寄与することができる。
【００４６】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００４７】
１０  カプラーカバー
１１  回転軸
１０１  小径軸部
１０２  大径軸部
２０  電池蓋
２０ａ  蓋本体
２２  固定部材
２００  挿通孔
２０１  長孔
２０２  凹部
２２０  曲げ部
【図１】
2013228479.tif 000003
【図２】
2013228479.tif 000004
【図３】
2013228479.tif 000005
【図４】
2013228479.tif 000006
【図５】
2013228479.tif 000007
【図６】
2013228479.tif 000008
【図７】
2013228479.tif 000009
【図８】
2013228479.tif 000010
【図９】
2013228479.tif 000011
【図１０】
2013228479.tif 000012
【図１１】
2013228479.tif 000013
【図１２】
2013228479.tif 000014
【図１３】
2013228479.tif 000015
【図１４】
2013228479.tif 000016